(57)【要約】【課題】本発明の積載物の固定用可動ロック装置は、片手で、簡易、迅速、確実に操作ができる操作性の向上とロック時のロック表示機能の明確性と、ロック機能の確実・堅牢性との向上を目的になされたものである。【解決手段】フックブラケットアッシイとフックレバーアッシイから設けられ、前記フックブラケットアッシイには左側軸受孔と右側軸受孔が設けられ、前記フックブラケットアッシイの上面にはロック用溝が設けられ、前記フックレバーアッシイは回転軸とその回転軸に固着する部材から設けられ、その部材は積載物掛合用フックと操作回転用レバーと前記フックブラケットアッシイのロック用溝に嵌合してロック状態の保持及びそのロック状態を目視できるロック確認ピンが設けられ、フックブラケットアッシイは前記回転軸に装嵌した圧縮バネの一端が連繋され、圧縮バネの他端が回転軸上のバネ止に連繋され、前記部材を回転軸と共に圧縮バネの拡張方向に付勢移動してフックレバーアッシイとフックブラケットアッシイをロックしてなる。【選択図】図４
2018061631.tif 000002
【特許請求の範囲】
【請求項１】
フックブラケットアッシイとフックレバーアッシイから設けられ、前記フックブラケットアッシイには左側軸受孔と右側軸受孔が設けられ、前記フックブラケットアッシイの上面にはロック用溝が設けられ、前記フックレバーアッシイは回転軸とその回転軸に固着する部材から設けられ、その部材には積載物掛合用フックと操作回転用レバーと前記フックブラケットアッシイのロック用溝に嵌合してロック状態の保持及びそのロック状態を目視できるロック確認ピンが設けられ、前記フックレバーアッシイの回転軸は前記左側軸受孔と前記右側軸受孔に回転自在に支承され、その先端がフックブラケットアッシイの反対側より外方に突出され、前記部材はフックブラケットアッシイに対応し、フックブラケットアッシイには前記回転軸に装嵌した圧縮バネの一端が連繋され、圧縮バネの他端が回転軸上のバネ止に連繋されて部材を回転軸と共に圧縮バネの拡張方向に付勢移動してフックレバーアッシイとフックブラケットアッシイをロックしてなる積載物の固定用可動ロック装置。
【請求項２】
前記フックレバーアッシイは回転軸とその回転軸に固着する部材から設けられ、前記部材は、回転軸の軸回りに離隔し、かつ所要の半径で外周方向に夫々突出して対応する積載物掛合用フックと操作回転用レバーと前記フックブラケットアッシイのロック用溝に嵌合してロック状態の保持及びそのロック状態を目視できるロック確認ピンが固着されて設けられ、前記フックレバーアッシイの回転軸に装嵌した圧縮バネの一端が連繋され、圧縮バネの他端が回転軸上のバネ止に連繋されて部材が回転軸と共に圧縮バネの拡張方向にスライドするように付勢され、前記ロック確認ピンがフックブラケットアッシイのロック用溝に嵌合されてフックレバーアッシイとフックブラケットアッシイのロック状態が保持されてなる請求項１の積載物の固定用可動ロック装置。
【請求項３】
前記フックブラケットアッシイは所要個所に取り付ける固定用取付孔を備えた固定用取付板が設けられてなる請求項１又は請求項２の積載物の固定用可動ロック装置。
【請求項４】
前記フックレバーアッシイの回転軸は圧縮バネの一端に連繋するバネ止を取り付けるバネ止用溝部と、回転軸の外れ止を取り付ける外れ止用溝部を備えてなる請求項１、請求項２又は請求項３の積載物の固定用可動ロック装置。
【請求項５】
前記フックレバーアッシイの回転操作用レバーはエッジをカバーするカバーが取付けられてなる請求項１、請求項２、請求項３又は請求項４の積載物の固定用可動ロック装置。
【請求項６】
前記ロック確認ピンの尖頭部は円錐尖頭型に形成されてなる請求項１、請求項２、請求項３、請求項４又は請求項５の積載物の固定用可動ロック装置。
【発明の詳細な説明】
【技術分野】
【０００１】
本発明は、車両用可搬型消防ポンプ、緊急機器、その他一般積載物を積載台に固定する積載物の固定用可動ロック装置に関するものである。
【背景技術】
【０００２】
特許文献１には、リフト台車の姿勢を規制して前後に移動させるレールフレームを自動車の荷台に装架し、リフト台車に、ゲートフレームを軸支するアッパーリンクとロアリンクと、そのアッパーリンクとロアリンクを昇降する油圧シリンダ動力源とを配備し、前記ゲートフレームに荷台フレームと、荷受皿板とからなる荷受台を配備し、この荷受台に可搬型消防ポンプと掛合する固定掛金とロック付回転フック金具を配備し、リフト台車をレールフレームの前方の格納位置にロックするハンドル付ロック軸を荷受台に、そのハンドル付ロック軸を嵌挿するロック軸受孔をレールフレームに夫々配備し、リフト台車の掛軸と自動的に掛合して後方の昇降積み降し位置にロックする自動ロックキャッチャーをレールフレームに配備してなる、可搬型消防ポンプの昇降積み降し装置が開示されている。
【先行技術文献】
【特許文献】
【０００３】
【特許文献１】特開２００７−６８７３５号公開公報
【発明の開示】
【発明が解決しようとする課題】
【０００４】
従来品では一方手でノブを引きながら、他方の手でレバーを回転させることで、掛合を解除する構造である。
【０００５】
本発明は、片手で、簡易、迅速及び確実に操作ができる操作性の向上と、ロック時のロック表示機能の明確性と、ロック機能の確実・堅牢性との向上を目的になされたものである。
【課題を解決するための手段】
【０００６】
フックブラケットアッシイとフックレバーアッシイから設けられ、前記フックブラケットアッシイには左側軸受孔と右側軸受孔が設けられ、前記フックブラケットアッシイの上面にはロック用溝が設けられ、前記フックレバーアッシイは回転軸とその回転軸に固着する部材から設けられ、その部材には積載物掛合用フックと操作回転用レバーと前記フックブラケットアッシイのロック用溝に嵌合してロック状態の保持及びそのロック状態を目視できるロック確認ピンが設けられ、前記フックレバーアッシイの回転軸は前記左側軸受孔と前記右側軸受孔に回転自在に支承され、その先端がフックブラケットアッシイの反対側より外方に突出され、前記部材はフックブラケットアッシイに対応し、フックブラケットアッシイには前記回転軸に装嵌した圧縮バネの一端が連繋され、圧縮バネの他端が回転軸上のバネ止に連繋されて部材を回転軸と共に圧縮バネの拡張方向に付勢移動してフックレバーアッシイとフックブラケットアッシイをロックしてなる積載物の固定用可動ロック装置にある。
【０００７】
前記フックレバーアッシイは回転軸とその回転軸に固着する部材から設けられ、前記部材は、回転軸の軸回りに離隔し、かつ所要の半径で外周方向に夫々突出して対応する積載物掛合用フックと操作回転用レバーと前記フックブラケットアッシイのロック用溝に嵌合してロック状態の保持及びそのロック状態を目視できるロック確認ピンが固着されて設けられ、前記フックレバーアッシイの回転軸に装嵌した圧縮バネの一端が連繋され、圧縮バネの他端が回転軸上のバネ止に連繋されて部材が回転軸と共に圧縮バネの拡張方向にスライドするように付勢され、前記ロック確認ピンがフックブラケットアッシイのロック用溝に嵌合されてフックレバーアッシイとフックブラケットアッシイのロック状態が保持されてなる積載物の固定用可動ロック装置としてもよいものである。
【０００８】
前記フックブラケットアッシイは所要個所に取り付ける固定用取付孔を備えた固定用取付板が設けられるものでもよいものである。
【０００９】
前記フックレバーアッシイの回転軸は圧縮バネの一端に連繋するバネ止を取り付けるバネ止用溝部と、回転軸の外れ止を取り付ける外れ止用溝部を備えるものでもよいものである。
【００１０】
前記フックレバーアッシイの回転操作用レバーには、エッジをカバーするカバーが取付けられるものでもよいものである。
【００１１】
前記ロック確認ピンの尖頭部は円錐尖頭型に形成されるものでもよいものである。
【発明の効果】
【００１２】
フックブラケットアッシイは所要個所に取り付ける固定用取付孔を備えた固定用取付板が設けられているから積載台等にボルト等の取付具により簡単に装備させることができる。
【００１３】
フックレバーアッシイにはロック確認ピンが配備されるから、フックブラケットアッシイの上面に設けられたロック溝にフックレバーアッシイのロック確認ピンが嵌合した状態を一目瞭然に視認でき、積載物に対する積載物掛合用フックのロック状態を視認でき、安全が確保できる。
【００１４】
操作回転用レバーと積載物掛合用フックを構成する部材と回転軸は相互に嵌合後に溶着されて一体化し、積載物と積載物掛合用フックを掛け合して固定するから構造が堅牢であり、一か所の掛合で十分な強度を確保できる。
【００１５】
前記フックブラケットアッシイに対してロック確認ピンは、常時圧縮バネの拡張作用で尖頭部をフックブラケットアッシイに接面しながら回転軸の軸回り回転させるものであるから、ロック確認ピンには適切な拡張圧による停止抵抗が得られ、回転作動は停止抵抗に打ち勝つレバーの操作回転力により行うことができる。
【００１６】
また、ロック確認ピンは、ロック用溝の位置と同じ半径で回転し、ロック確認ピンがロック用溝に対応したとき、回転軸を付勢方向にスライドしてロック確認ピンをロック用溝に嵌合してロック状態にするものであるから、積載物掛合用フックは、積載物との関係では回転軸の軸回り回転力を受けるのでロック確認ピンを回転軸のスライド方向に対して軸回り方向に回転力を受けてロック用溝を回転方向に押出すのでロックが確実に保持されるものである。
【００１７】
また、ロック解除については、片手で操作回転用レバーを回転軸のスライド方向に圧縮バネを圧縮して引くだけで、ロック用溝からロック確認ピンを引き出すことができ、それから操作回転用レバーが軸回り回転して積載物掛合用フックを掛合解放方向に回転させ、積載物との掛合を開放する。ロック確認ピンの尖頭部は圧縮バネの拡張作用でフックブラケットアッシイに接面するので操作回転用レバー及び積載物掛合用フックを停止した位置に維持させることができるものである。
【００１８】
前記ロック確認ピンの尖頭部が円錐尖頭型に形成されてなるものでは、尖頭部のフックブラケットアッシイとの接面が小面積の点接触になるので、所要の回転抵抗が得られ安全な停止でき、また、ロック用溝との対応時に円滑な係合と係脱とが行なえるものである。
【００１９】
よって、可搬型消防ポンプのような緊急運搬の頻度の高い積載物に適切な固定用可動ロック装置の提供が可能となったものである。
【図面の簡単な説明】
【００２０】
【図１】本発明の車両用可搬型消防ポンプ、緊急機器、その他一般積載物を積載台に固定する積載物の固定用可動ロック装置のロックレバー側の側面図である。
【図２】同じく、固定用可動ロック装置のロックレバー掛合面側の正面図である。
【図３】同じく、固定用可動ロック装置のロックレバー操作面側の背面図である。
【図４】同じく、固定用可動ロック装置の平面図である。
【図５】同じく、固定用可動ロック装置の底面図である。
【図６】同じく、固定用可動ロック装置を構成するフックブラケットアッシイ単体の分解下部体の側面図である。
【図７】同じく、分解下半部の平面図である。
【図８】分解上面体の側面図である。
【図９】同じく、分解上面体の平面図である。
【図１０】同じく、固定用可動ロック装置を構成するフックレバーアッシイ単体の平面図である。
【図１１】本発明の可動ロック装置を配備した昇降装置の積載台を車両内に引き込んだ状態の全体側面図である。
【図１２】同じく、本発明の積載物の固定用可動ロック装置を配備した昇降装置の積載台を車両外に繰り出した状態の側面図である。
【図１３】同じく、昇降装置の積載台と可動ロック装置を示す側面図である。
【図１４】同じく、昇降装置の積載台と可動ロック装置を示す平面図である。
【図１５】同じく、昇降装置の積載台において、可動ロック装置の位置を変えたその他の実施例の平面図である。
【発明を実施するための形態】
【００２１】
フックブラケットアッシイとフックレバーアッシイとから設けられ、前記フックブラケットアッシイには左側軸受孔を備えるフックブラケット左側部と右側軸受孔を備えるフックブラケット右側部が設けられ、前記フックブラケットアッシイの上面にはロック用溝が設けられ、前記フックレバーアッシイは回転軸とその回転軸に一体に固着される部材から設けられ、該部材には、回転軸の軸回りに離隔し、かつ所要の半径で外周方向に夫々突出して対応する積載物掛合用フックと操作回転用レバーと前記フックブラケットアッシイのロック用溝に嵌合してロック状態の保持及びそのロック状態を目視できるロック確認ピンが固着されて設けられ、前記フックレバーアッシイの回転軸は前記左側軸受孔と前記右側軸受孔に回転自在に支承され、その先端が反対側のフックブラケット右側部又はフックブラケット左側部より外方に突出されて外止めが配備され、前記部材はフックブラケットアッシイのフックブラケット左側部又はフックブラケット右側部に対応し、フックブラケットアッシイのフックブラケット左側部又はフックブラケット右側部には前記回転軸に装嵌した圧縮バネの一端が連繋され、圧縮バネの他端が回転軸上のバネ止に連繋されて部材が回転軸と共に圧縮バネの拡張方向にスライドするように付勢され、前記ロック確認ピンがフックブラケットアッシイのロック用溝に嵌合されてロック状態が保持され、前記フックブラケットアッシイは荷受台等の所要個所に取り付ける固定用取付孔を備えた固定用取付板が設けられ、前記フックレバーアッシイの回転軸は圧縮バネの一端に連繋するバネ止を取り付けるバネ止用溝部と、回転軸の外れ止を取り付ける外れ止用溝部を備え、前記フックレバーアッシイの回転操作用レバーはエッジをカバーするカバーが取付けられてなる積載物の固定用可動ロック装置。
【実施例】
【００２２】
以下、本発明に車両用可搬型消防ポンプ、緊急機器、その他一般積載物を積載台に固定する積載物の固定用可動ロック装置を図面に示す実施例の積載物の固定用可動ロック装置１により説明する。
【００２３】
積載物の固定用可動ロック装置１は、例えば緊急機器の一例として可搬型消防ポンプ２を積載する積載台３に配備されるものである。
【００２４】
前記積載台３は、図１０〜１２に示す車両用昇降装置４のものであるが、図示しないが車両の荷台であってもよいものである。
【００２５】
前記積載物の固定用可動ロック装置１は、フックブラケットアッシイ５とフックレバーアッシイ６から構成される。
【００２６】
前記フックブラケットアッシイ５は、フックブラケット左側部５ａとフックブラケット右側部５ｂを備え、該フックブラケット左側部５ａとフックブラケット右側部５ｂには左側軸受孔９ａと右側軸受孔９ｂを開孔して備える。
【００２７】
前記フックブラケットアッシイ５の上面５ｄには、ロック用溝１０が設けられる。
【００２８】
前記フックブラケットアッシイ５の前縁が固定用取付孔１１ａ、１１ｂを備えた固定用取付板５ｃに形成される。
【００２９】
前記フックレバーアッシイ６は、部材７と回転軸８から設けられ、前記部材７には可搬型消防ポンプ２に掛合せる積載物掛合用フック１２と回転操作用レバー１３と前記フックブラケットアッシイ５のロック用溝１０に嵌合してロック状態の保持及びそのロック状態を目視できるロック確認ピン１４が設けられる。
【００３０】
前記操作回転用レバー１３にはエッジを保護するカバー１５が取付けられる。
【００３１】
前記回転軸８にはバネ止としてのＥ型止輪１６を取り付けるＥ型止輪用溝１６ａと、外れ止としてのＣ型止輪１７を取り付けるＣ型止輪用溝１７ｂを有している。
【００３２】
フックレバーアッシイ６としては、回転軸８をフックブラケットアッシイ５のフックブラケット左側部５ａの左側軸受孔９ａとフックブラケット右側部５ｂの右側軸受孔９ｂに差し込み、左側軸受孔９ａと右側軸受孔９ｂの間に圧縮バネ１８を配置し、その圧縮バネ１８の一端を連繋するバネ止のＥ型止輪１６とフックレバーアッシイ６の外れ止としてのＣ型止輪１７を回転軸８に配備している。
【００３３】
フックレバーアッシイ６の積載物フック作動は、ロック確認ピン１４がロック用溝１０に入っている状態のロック状態から片手で操作回転用レバー１３を横に押すことでロック確認ピン１４とロック用溝１０の嵌め合いが外れてフックレバーアッシイ６は回転可能となり、横に押した手をそのまま回転させることで、フックブラケット左側部５ａの外側面にロック確認ピン１４が乗り上げ状態になり、フックレバーアッシイ６は自由に回転可能になる。また、圧縮バネ１８の拡張圧力によりロック確認ピン１４の尖頭部１４ａが対応面となるフックブラケット左側部５ａの外側面に接して所要の回転抵抗が生じて操作力を解放した状態では、フックレバーアッシイ６がロック開放状態で停止位置に保持される。
【００３４】
再び、ロック状態に戻すには、フックレバーアッシイ６に前記回転抵抗を上回る回転力を与えて解除方向とは逆方向に回転させ、ロック確認ピン１４とロック用溝１０の位置が合えば圧縮バネ１８の戻り力で回転軸８はスライドしてロック確認ピン１４はロック用溝１０に嵌合してロック状態となる。
【００３５】
ロック確認ピン１４がロック状態で目視が可能なことでフックレバーアッシイ６の作動可視化が図れる。
【００３６】
万が一、フックレバーアッシイ６がロックされていない状況で可搬型消防ポンプ２を車両１９に載せたまま走行した場合に路面状況によっては、可搬型消防ポンプ２が落下する危険性がある。そのためロックする機能をあえて見えるようにして、操作者に安全を促がしている。
【００３７】
前記積載物の固定用可動ロック装置１のフックブラケットアッシイ５は、一例として、図６〜９に示すように、鋼板をレザーカット後、ベンダーにより曲げ加工されて形成された下部体５１と上面体５２を溶接して設けられる。
【００３８】
前記下部体５１のフックブラケット左側部５ａには左側軸受孔９ａが、フックブラケット右側部５ｂには右側軸受孔９ｂが、夫々ベンダーによる曲げ加工前に開口されている。また、下部体５１のフックブラケット左側部５ａの上縁から突出部２１ａ１には、Ｕ字溝２１ａ２が開口される。
【００３９】
前記上面体５２において、前記下部体５１のフックブラケット左側部５ａと連接縁には、フックブラケット左側部５ａの突出部２１ａ１を内側に対向するコ字型開口２１ｂ１とロック確認ピン１４の尖頭部１４ａに対応する尖頭部口２１ｂ２が開口される。
【００４０】
前記実施例の積載物の固定用可動ロック装置１では、フックブラケットアッシイ５に対してフックレバーアッシイ６の部材７は、フックブラケット左側部５ａに対応し、回転軸８をフックブラケット左側部５ａからフックブラケット右側部５ｂに差し込んで、先端をフックブラケット右側部５ｂより外方に突出しているが、回転軸８をフックブラケット右側部５ｂよりフックブラケット左側部５ａと差し込んで配備してもよいものである。
【００４１】
前記積載物の固定用可動ロック装置１は、一般的には、図１２〜１３に示すように、積載台３の前端縁３ａに設けられ、これに対応して固定掛金具２０ａ、２０ｂが積載台３の後端縁３ｂに配備されるものであり、フックレバーアッシイ６の回転操作用レバー１３を持って積載物掛合用フック１２を上向きに回転してロックを開放し、積載物となる可搬型消防ポンプ２を、その後部下端２ｂを固定掛金具２０ａ、２０ｂに掛合して積載台３上に置き、フックレバーアッシイ６を回転して、積載物掛合用フック１２を可搬型消防ポンプ２の前部下端２ａに係合させてなるものである。そして、積載台３の左側縁３ｃに左起立縁３ｃ１が、右側縁３ｄに右起立縁３ｄ１が夫々設けられ、横滑りしないように構成されている。
【００４２】
前記積載台３における積載物の固定用可動ロック装置１は、図１４に示すように、積載台３の右側縁３ｄに配備され、固定掛金具２０ａ、２０ｂが積載台３の左側縁３ｃに配備されるものであってもよいものである。そして、この実施例では、積載台３の前端縁３ａに前起立縁３ａ１が、積載台３の後端縁３ｂに後起立縁３ｂ１が夫々設けられ、横滑りしないように構成されること無論である。
【産業上の利用可能性】
【００４３】
本発明の固定用可動ロック装置は以上のように構成されるから、単体の操作性、取付け性及び用途の拡張性において優れた利用可能性を奏するものである。
【符号の説明】
【００４４】
１  積載物の固定用可動ロック装置
２  可搬型消防ポンプ
２ａ  前部下端
２ｂ  後部下端
３  積載台
３ａ  前端縁
３ａ１  前起立縁
３ｂ  後端縁
３ｂ１  後起立縁
３ｃ  左側縁
３ｃ１  左起立縁
３ｄ  右側縁
３ｄ１  右起立縁
４  車両用昇降装置
５  フックブラケットアッシイ
５ａ  フックブラケット左側部
５ｂ  フックブラケット右側部
５ｃ  固定用取付板
５ｄ  上面
６  フックレバーアッシイ
７  部材
８  回転軸
９ａ  左側軸受孔
９ｂ  右側軸受孔
１０  ロック用溝
１１ａ  固定用取付孔
１１ｂ  固定用取付孔
１２  積載物掛合用フック
１３  回転操作用レバー
１４  ロック確認ピン
１４ａ  尖頭部
１５  カバー
１６  Ｅ型止輪
１６ａ  Ｅ型止輪用溝
１７  Ｃ型止輪
１７ａ  Ｃ型止輪用溝
１８  圧縮バネ
１９  車両
２０ａ  固定掛金具
２０ｂ  固定掛金具
２１ａ１  突出部
２１ａ２  Ｕ字溝
２１ｂ１  コ字型開口
２１ｂ２  尖頭部口
５１  下部体
５２  上部体
【図１】
2018061631.tif 000003
【図２】
2018061631.tif 000004
【図３】
2018061631.tif 000005
【図４】
2018061631.tif 000006
【図５】
2018061631.tif 000007
【図６】
2018061631.tif 000008
【図７】
2018061631.tif 000009
【図８】
2018061631.tif 000010
【図９】
2018061631.tif 000011
【図１０】
2018061631.tif 000012
【図１１】
2018061631.tif 000013
【図１２】
2018061631.tif 000014
【図１３】
2018061631.tif 000015
【図１４】
2018061631.tif 000016
【図１５】
2018061631.tif 000017